【手続補正書】
【提出日】平成28年3月23日(2016.3.23)
【手続補正１】
【補正対象書類名】特許請求の範囲
【補正対象項目名】全文
【補正方法】変更
【補正の内容】
【特許請求の範囲】
【請求項１】
水平旋回軸より下方位置に形成されてソーセージを外側リンクと内側リンクに分けて吊り下げる吊下げ部と、吊下げ部から吊り下がった内側リンクが載るように吊下げ部よりも下方位置に形成された開き部とを有し、捻り部で繋がった多数のリンクからなるソーセージを吊り下げるソーセージ用懸吊部材において、
懸吊部材は、側方外側へ上昇してソーセージを吊り下げるための竿による上記外側リンクと内側リンク間への挿通に備えて内側リンクと外側リンクとの間隔を広げるように、内側リンクを載せた開き部が水平旋回軸を中心に側方内側へ移動する第１次の旋回を行ない、
上記懸吊部材の第１次の旋回後に、開き部を内側リンクと外側リンクの間を挿通した状態の上記竿から側方内側へ離すように、懸吊部材は開き部が水平旋回軸を中心に側方内側へ移動する第２次の旋回を行なう、
ように構成されていることを特徴とするソーセージ用懸吊部材。
【請求項２】
水平旋回軸より下方位置に形成されてソーセージを外側リンクと内側リンクに分けて吊り下げる吊下げ部と、吊下げ部から吊り下がった内側リンクが載るように吊下げ部よりも下方位置に形成された開き部とを有し、捻り部で繋がった多数のリンクからなるソーセージを吊り下げるソーセージ用懸吊部材において、
懸吊部材は、ソーセージを吊り下げた吊下げ部が水平旋回軸を中心に側方外側へ移動し、その移動の後に、側方外側へ上昇してソーセージを吊り下げるための竿による上記外側リンクと内側リンク間への挿通に備えて内側リンクと外側リンクとの間隔を広げるように、内側リンクを載せた開き部が水平旋回軸を中心に側方内側へ移動する第１次の旋回を行ない、
上記懸吊部材の第１次の旋回後に、開き部を内側リンクと外側リンクの間を挿通した状態の上記竿から側方内側へ離すように、懸吊部材は開き部が水平旋回軸を中心に側方内側へ移動する第２次の旋回を行なう、
ように構成されていることを特徴とするソーセージ用懸吊部材。
【請求項３】
懸吊部材は、吊下げ部と開き部とを側方内側へ移動させるための、水平旋回軸より上方に設けられて水平旋回軸を中心に旋回する従動部を有しており、従動部は、水平旋回軸を中心に従動部を側方外側へ旋回させるための動作を受ける従動端部を有していることとする請求項1又は請求項２に記載のソーセージ用懸吊部材。
【請求項４】
水平旋回軸より下方の位置に形成された吊下げ部と、吊下げ部より下方の位置に形成された開き部とを有する懸吊部材にループ状に吊り下がった、捻り部で繋がった多数のリンクからなるソーセージを竿に吊り下げる方法において、
第１姿勢の懸吊部材が吊下げ部からソーセージを外側リンクと内側リンクに分けて吊り下げるステップと、
水平旋回軸を中心に開き部を側方内側へ移動する懸吊部材の第１次の旋回によって第１姿勢の懸吊部材を第２姿勢に変化させ、それによって開き部に載った内側リンクと、外側リンクとの間隔を広げるステップと、
第２姿勢の懸吊部材が、開き部に内側リンクを載せた状態で、竿支持手段に支持されている竿の長手方向に沿って移動して、内側リンクと外側リンクとの間に竿を挿通するステップと、
多数のループから成るループ群の内側リンクと外側リンクの間に挿通した状態の竿を側方外側へ上昇させるステップと、
上記内側リンクと外側リンクの間に挿通した状態の竿から開き部を側方内側へ離すように移動する懸吊部材の第２次の旋回によって懸吊部材を第２姿勢から第３姿勢に変化させるステップと、
側方外側への上記竿の上昇と懸吊部材の上記第２次の旋回によって、ソーセージループが懸吊部材から取り外されて、竿に吊り下げられるステップと、
を備えることを特徴とするソーセージを竿に吊り下げる方法。
【請求項５】
開き部が水平旋回軸を中心に側方外側へ移動するように、ソーセージを吊り下げた第１姿勢の懸吊部材を旋回して懸吊部材の姿勢を変化させるステップと、
上記姿勢変化した懸吊部材を第１姿勢に戻すように旋回して、水平旋回軸を中心に開き部を側方内側へ移動させるステップと
を更に備えていることとする請求項４に記載のソーセージを竿に吊り下げる方法。
【請求項６】
捻り部で繋がった多数のリンクからなるソーセージを吊り下げる懸吊部材と、懸吊部材を有して該懸吊部材を移動するコンベアと、懸吊部材に対して動作して懸吊部材を旋回させる懸吊部材旋回手段と、竿を排出する竿排出装置とを備え、該懸吊部材は、懸吊部材の水平旋回軸より下方位置に形成されてソーセージを外側リンクと内側リンクに分けて吊り下げる吊下げ部と、吊下げ部から吊り下がった内側リンクが載るように吊下げ部よりも下方位置に形成された開き部とを有している、懸吊部材に吊り下がったソーセージを竿に吊り下げる吊り下げ装置において、
懸吊部材旋回手段は、側方外側へ上昇してソーセージを吊り下げるための竿による上記外側リンクと内側リンク間への挿通に備えて内側リンクと外側リンクとの間隔を広げるために、内側リンクを載せた開き部を上記水平旋回軸を中心に側方内側へ移動する旋回を懸吊部材に生じさせるように懸吊部材を案内する摺動案内部材と、
内側リンクと外側リンクの間を挿通した状態の上記竿から開き部を側方内側へ離すように、水平旋回軸を中心に開き部が側方内側へ移動するように懸吊部材を旋回させる旋回駆動部材とを備えている、
ことを特徴とする懸吊部材に吊り下がったソーセージを竿に吊り下げる吊り下げ装置。
【請求項７】
ソーセージを吊り下げた吊下げ部が水平旋回軸を中心に側方外側へ移動する旋回を懸吊部材に生じさせるように懸吊部材を案内する摺動案内部材が、開き部を上記水平旋回軸を中心に側方内側へ移動させる摺動案内部材の上流の位置に設けられていることとする、請求項６に記載の懸吊部材に吊り下がったソーセージを竿に吊り下げる吊り下げ装置。
【手続補正２】
【補正対象書類名】明細書
【補正対象項目名】００２１
【補正方法】変更
【補正の内容】
【００２１】
本発明によれば、上記目的は、その懸吊部材に関しては、
水平旋回軸より下方位置に形成されてソーセージを外側リンクと内側リンクに分けて吊り下げる吊下げ部と、吊下げ部から吊り下がった内側リンクが載るように吊下げ部よりも下方位置に形成された開き部とを有し、捻り部で繋がった多数のリンクからなるソーセージを吊り下げるソーセージ用懸吊部材において、
懸吊部材は、側方外側へ上昇してソーセージを吊り下げるための竿による上記外側リンクと内側リンク間への挿通に備えて内側リンクと外側リンクとの間隔を広げるように、内側リンクを載せた開き部が水平旋回軸を中心に側方内側へ移動する第１次の旋回を行ない、
上記懸吊部材の第１次の旋回後に、開き部を内側リンクと外側リンクの間を挿通した状態の上記竿から側方内側へ離すように、懸吊部材は開き部が水平旋回軸を中心に側方内側へ移動する第２次の旋回を行なう、
ように構成されていることを特徴とするソーセージ用懸吊部材によって達成される。
【手続補正３】
【補正対象書類名】明細書
【補正対象項目名】００２３
【補正方法】変更
【補正の内容】
【００２３】
本発明に係る上記懸吊部材は、充填装置から送出されて吊下げ部に吊り下がったソーセージの内側リンクが開き部に載った後に、ソーセージの端末処理等を原因とした開き部からの内側リンクの外れの発生に対応すべく、上記した第１次の旋回に先立って、第１次の旋回と逆方向である、ソーセージを吊り下げた吊下げ部が水平旋回軸を中心に側方外側へ移動する旋回を行ない、その移動の後に上記懸吊部材は、内側リンクを載せた開き部が側方内側への移動をする第１次の旋回を行なうこともできる。
【手続補正４】
【補正対象書類名】明細書
【補正対象項目名】００３３
【補正方法】変更
【補正の内容】
【００３３】
上記したソーセージを竿に吊り下げる方法は、ソーセージの端末処理等を原因とした開き部からの内側リンクの外れの発生に対応すべく、上記した第１次の旋回に先立って、開き部が水平旋回軸を中心に側方外側へ移動するように、ソーセージを吊り下げた第１姿勢の懸吊部材を旋回して懸吊部材の姿勢を変化させるステップと、その後に、上記姿勢変化した懸吊部材を第１姿勢に戻すように旋回して、水平旋回軸を中心に開き部を側方内側へ移動させるステップを備えることもできる。
【手続補正５】
【補正対象書類名】明細書
【補正対象項目名】００３４
【補正方法】変更
【補正の内容】
【００３４】
本発明によれば、上記目的は、その装置に関しては、
捻り部で繋がった多数のリンクからなるソーセージを吊り下げる懸吊部材と、懸吊部材を有して該懸吊部材を移動するコンベアと、懸吊部材に対して動作して懸吊部材を旋回させる懸吊部材旋回手段と、竿を排出する竿排出装置とを備え、該懸吊部材は、懸吊部材の水平旋回軸より下方位置に形成されてソーセージを外側リンクと内側リンクに分けて吊り下げる吊下げ部と、吊下げ部から吊り下がった内側リンクが載るように吊下げ部よりも下方位置に形成された開き部とを有している、懸吊部材に吊り下がったソーセージを竿に吊り下げる吊り下げ装置において、
懸吊部材旋回手段は、側方外側へ上昇してソーセージを吊り下げるための竿による上記外側リンクと内側リンク間への挿通に備えて内側リンクと外側リンクとの間隔を広げるために、内側リンクを載せた開き部を上記水平旋回軸を中心に側方内側へ移動する旋回を懸吊部材に生じさせるように懸吊部材を案内する摺動案内部材と、
内側リンクと外側リンクの間を挿通した状態の上記竿から開き部を側方内側へ離すように、水平旋回軸を中心に開き部が側方内側へ移動するように懸吊部材を旋回させる旋回駆動部材とを備えている、
ことを特徴とする懸吊部材に吊り下がったソーセージを竿に吊り下げる吊り下げ装置によって達成できる。
【手続補正６】
【補正対象書類名】明細書
【補正対象項目名】００３５
【補正方法】変更
【補正の内容】
【００３５】
上記吊り下げ装置は、ソーセージを吊り下げた吊下げ部が水平旋回軸を中心に側方外側へ移動する旋回を懸吊部材に生じさせるように懸吊部材を案内する摺動案内部材が、開き部を上記水平旋回軸を中心に側方内側へ移動させる摺動案内部材の上流の位置に設けられていても良い。